(57)【要約】【課題】面全体の外観が一様な質感の不透光面でありながら、部分的に光を透過できるパネル体を提供する。【解決手段】本発明のパネル体７は、不透光パネル１７と、透光部材１９を備え、不透光パネル１７は、いずれか一方側面に凹み２５が形成してあり、凹み２５を形成した部分２７の厚みＨが光を透過する厚みであり、凹み２５内に透光部材１９を配置している。【選択図】図１
2010031519.tif 000002
【特許請求の範囲】
【請求項１】
不透光パネルと、透光部材を備え、不透光パネルは、何れか一方側面に凹みが形成してあり、凹みを形成した部分の厚みが光を透過する厚みであり、凹み内に透光部材を配置してあることを特徴とするパネル体。
【請求項２】
不透光パネルと、透光部材を備え、不透光パネル内に透光部材が埋めてあり、不透光パネルの一方側面から透光部材までの寸法と他方側面から透光部材までの寸法の合計が光を透過する寸法であることを特徴とするパネル体。
【請求項３】
透光パネルを備え、透光パネルは四周をパネル保持枠に固定してあり、透光パネルに不透光パネルの一方側面を重ねて固定してあり且つ不透光パネルで透光パネルのパネル保持枠を隠蔽していることを特徴とする請求項１又は２に記載のパネル体。
【請求項４】
複数の不透光パネルと、透光パネルを備え、透光パネルは四周をパネル保持枠に固定してあり、透光パネルに各不透光パネルの一方側面を重ねて固定してあり且つ複数枚の不透光パネルで透光パネルのパネル保持枠を隠蔽していることを特徴とする請求項１又は２に記載のパネル体。
【請求項５】
不透光パネルは発泡ガラス製であり、透光パネルはガラス製であることを特徴とする請求項１〜４の何れか一項に記載のパネル体。
【発明の詳細な説明】
【技術分野】
【０００１】
本発明は、建物の外壁、室内の間仕切り、天井、ドア、廊下の壁等の建材に用いるパネル体に関する。
【背景技術】
【０００２】
特許文献１には、貫通孔を部分的に設けた不透光パネルにガラス板を重ねたパネル体が開示されている。
特許文献２には、不透光パネルに設けた貫通孔に透光部材を埋め込んだパネル体が開示されている。
【０００３】
【特許文献１】特開平１１−３５０８４１号公報
【特許文献２】実用新案登録３１２８８７２号公報
【発明の開示】
【発明が解決しようとする課題】
【０００４】
しかし、特許文献１の技術では、不透光パネルに貫通孔を形成して透光部分としているので、面全体の外観において一様な質感のパネル面を得ることができない。
特許文献２の技術では、不透光パネル面に部分的に透光部材が露出する為、面全体の外観において、部分的に異なる質感を与えている。
このような従来技術に対して、面全体の外観は一様な質感の不透光面でありながら、部分的に光を透過できるパネル体が望まれている。
【０００５】
そこで、本発明は、面全体の外観が一様な質感の不透光面でありながら、部分的に光を透過できるパネル体の提供を目的とする。
【課題を解決するための手段】
【０００６】
請求項１に記載の発明は、不透光パネルと、透光部材を備え、不透光パネルは、何れか一方側面に凹みが形成してあり、凹みを形成した部分の厚みが光を透過する厚みであり、凹み内に透光部材を配置してあることを特徴とする。
【０００７】
請求項２に記載の発明は、不透光パネルと、透光部材を備え、不透光パネル内に透光部材が埋めてあり、不透光パネルの一方側面から透光部材までの寸法と他方側面から透光部材までの寸法の合計が光を透過する寸法であることを特徴とする。
【０００８】
請求項３に記載の発明は、請求項１又は２に記載の発明において、透光パネルを備え、透光パネルは四周をパネル保持枠に固定してあり、透光パネルに不透光パネルの一方側面を重ねて固定してあり且つ不透光パネルで透光パネルのパネル保持枠を隠蔽していることを特徴とする。
【０００９】
請求項４に記載の発明は、請求項１又は２に記載の発明において、複数の不透光パネルと、透光パネルを備え、透光パネルは四周をパネル保持枠に固定してあり、透光パネルに各不透光パネルの一方側面を重ねて固定してあり且つ複数枚の不透光パネルで透光パネルのパネル保持枠を隠蔽していることを特徴とする。
【００１０】
請求項５に記載の発明は、請求項１〜４の何れか一項に記載の発明において、不透光パネルは発泡ガラス製であり、透光パネルはガラス製であることを特徴とする。
【発明の効果】
【００１１】
請求項１に記載の発明によれば、不透光パネルは一方側面に凹みを形成することにより光が透過する厚み部分を形成しているので、凹みを形成していない他方側面を見た場合に、面全体の外観が一様な質感の不透光面でありながら、部分的に光を透過できる。凹みには透光部材を配置してあるので、凹み部分の強度を補うことができる。
【００１２】
請求項２に記載の発明によれば、不透光パネルには透光部材を埋めて不透光パネルの厚み部分を光が透過する寸法にしているので、不透光パネルの各パネル面全体の外観が一様な質感の不透光面でありながら、部分的に光を透過できる。不透光パネルの厚みを薄くした部分を形成してもその部分には透光部材を埋めているので、光透過部を設けても不透光パネルの強度に影響を与え難い。
【００１３】
請求項３及び４に記載の発明によれば、各々請求項１又は２に記載の効果を奏すると共に、不透光パネルに透光パネルを重ねることによりパネル体の強度を高めることができる。従って、不透光パネルに強度の低い材質のパネルを用いることも可能になる。不透光パネルでパネル保持枠を隠蔽しているので外観が良い。
【００１４】
請求項５に記載の発明によれば、請求項１〜４の何れか一項に記載の効果を奏すると共に、不透光パネルを発泡ガラスとすることにより、請求項１に記載のように不透光パネルに凹みを形成する場合には、発泡ガラスは加工しやすいので、凹み形成が容易にできる。また、請求項２に記載のように不透光パネルに透光部材を埋める場合は、発泡ガラスの製造工程においてガラス材を発泡するときに透光部材を入れることにより透光部材の埋め込みが容易にできる。
更に、透光パネルをガラス板とすることにより透光パネルと不透光パネルの材質を同質にでき接着や溶着がし易い。
【発明を実施するための最良の形態】
【００１５】
以下に、添付図面を参照して本発明の第１実施の形態を説明する。図１は本発明の第１実施の形態に係るパネル体であって、図３に示すＢ部を拡大して示す縦断面図であり、図２は本発明の第１実施の形態に係るパネル体であって、図３に示すＢ部の横断面図であり、図３は図４に示す外壁のＡ―Ａ断面図であり、図４は第１実施の形態に係るパネル体を備える外壁の正面図である。
図３及び図４に示すように、二階建ての建物１において、一階部分３の外壁５に第１実施の形態に係るパネル体７が用いられている。図４に示すように、建物１の一階部分３には、外壁５とドア９とが設けてあり、図３に示すように、二階部分１１の外壁１３は一階の外壁５よりも室外側に突設して設けているが、一階部分のパネル体７の上端と、二階部分のパネル体１５の下端とが上下方向の同じ位置にあるので、図４に示すように、室外側から正面を見ると一階部分のパネル体７と二階部分のパネル体１５とが上下に連続して見えている。
図１及び図２に示すように、第１実施の形態に係るパネル体７は、不透光パネル１７と、透過部材１９と、透光パネル２１とを備えている。尚、本実施の形態ではパネル体７はカーテンウォールであり、図４に示すように、ドア９から離れた位置にある上部１４ａと下部１４ｂとが各々たてすべり出し窓になっており、その他の部分は固定窓になっている。
不透光パネル１７は複数並べてあり、各不透光パネル１７は発泡ガラス製であり、光を透過しない厚みを有するものである。この不透光パネル１７には室内側面（一方側面）に複数の円柱状の凹み２５が形成してあり、凹み２５を形成することにより、不透光パネルに光が透過する厚みＨの部分２７を形成している。凹み２５には、透光部材１９を嵌合してあり、本実施の形態では透光部材１９はガラス製である。尚、複数の凹み２５は、凹み２５の幅及び凹み２５の位置は任意に形成されている。
透光パネル２１は、不透光パネル１７の室内側面に重ねて、透光パネル２１と不透光パネル１７の対向面を接着固定している。
透光パネル２１は、編み入りガラスである。
透光パネル２１の周縁２１ａはパネル保持枠（框）２３のパネル保持部２３ａに固定されており、不透光パネル１７の縁１７ａは、透光パネル２１の縁２１ａよりも外周側に突設して、室外側から見たときに不透光パネル１７の縁１７ａでパネル保持枠２３を隠している。本実施の形態では、図１に示すように、下側の不透光パネル１７の上縁１７ａで無目２９も隠しており、図２に示すように、不透光パネル１７の縁１７ａで方立３１も隠している。
【００１６】
二階の外壁１３のパネル体１５は、一階のパネル体７と同じ不透光パネル１７と、透光パネル２１とで構成されているが、不透光パネル１７には凹み２５が形成されておらず、光の透過部分２７がない。
【００１７】
次に、第１実施の形態に係るパネル体７の作用及び効果について説明する。
一階部分３で夜に室内電灯をつけると、各不透光パネル１７の室外側面は、面全体の外観が一様な質感の面になっていながら、不透光パネル１７の光が透過する厚み部分２７から室内の光が透過して、図４に示すように室外側から見たときに、多数の大小の光による模様を形成する。
一方、一階の室内電灯を消せば、二階のパネル面と同様に、不透光パネル１７の面全体の外観が一様な質感の面となる。
本実施の形態によれば、不透光パネル１７は室内側に凹み２５を形成して光を透過する厚み部分である透光部分２７を形成しているので、室外側から見た場合に、面全体の外観が一様な質感の不透光面でありながら、部分的に光を透過できる。
凹み２５には、透光部材１９を配置しているので、不透光パネル１７における凹み２５部分の強度を補うことができる。
不透光パネル１７として、ガラスパネルよりも強度が劣る発泡ガラスを用いているが、不透光パネル１７に透光パネル２１を重ねて配置しているのでパネル体７の強度を高めることができる。
不透光パネル１７の縁１７ａを透光パネル２１の縁よりも外周側に突設して、不透光パネル１７の縁１７ａでパネル保持枠２３を室外側から隠しているので、外観が良い。更に、本実施の形態では、無目２９及び方立３１も不透光パネル１７で隠しており、カーテンウォール全体の面を不透光パネル１７で覆っている点でも、外観が良い。
不透光パネル１７を発泡ガラスとすることにより、発泡ガラスはガラスに比較して加工しやすいので、凹み２５の形成が容易にできる。更に、透光パネル２１をガラス板とすることにより透光パネル２１と不透光パネル１７の材質を同質にできるので接着や溶着による固定が容易である。
一階部分３の外壁５と二階部分１１の外壁１３とが同じ材質の不透光パネル１７で構成しているから、室外側から正面を見た建物全体の外観が同じ見えるが、例えば一階室内の照明をつけると、図４に示すように、室内の光が透過する厚み部分２７から漏れて、光による模様を形成するので、意外性があると共に外観が良い。
【００１８】
以下に、本発明の他の実施の形態について説明するが、以下に説明する実施の形態において、上述した第１実施の形態と同一の作用効果を奏する部分には、同一の符号を付することによりその部分の詳細な説明を省略し、以下の説明では上述した第１実施の形態と主に異なる点を説明する。
図５（ａ）を参照して第２実施の形態を説明する。図５（ａ）はパネル体の一部を示す縦断面図である。第２実施の形態では、不透光パネル１７には透光部材１９を埋めてあり、不透光パネル１７の各パネル面から透光部材までの寸法ｈ１及びｈ２の合計の寸法を光が透過する寸法にしてある。不透光パネル１７への透光部材１９の埋め込みは、発泡ガラスの製造工程においてガラス材を発泡するときに透光部材１９を入れて製造している。その他の点は第１実施の形態と同じ構成である。
この第２実施の形態によれば、不透光パネル１７の各パネル面において全体の外観が一様な質感の不透光面でありながら、部分的に光を透過できる。即ち、この第２実施の形態では、不透光パネル１７の何れのパネル面も室外側面にして用いることができる。
不透光パネル１７の厚みを薄くした部分を形成してもその部分には透光部材１９を埋めているので、不透光パネル１７の強度に影響を与え難い。
また、不透光パネル１７への透光部材１９の埋め込みは、発泡ガラスの製造工程においてガラス材を発泡するときに透光部材１９を入れることにより透光部材１９の埋め込みが容易にできる。
第２実施の形態において、透光部材１９の埋め込み以外の点については、上述した第１実施の形態と同様の効果を奏することができる。
【００１９】
本発明は、上述した実施の形態に限らず、本発明の要旨を逸脱しない範囲で種々変形可能である。
例えば、不透光パネル１７は、発泡ガラスに限らず、樹脂材、木材、石材等であっても良い。
本発明に係るパネル体７は、建物の外壁１３に限らず、室内間仕切り、ドアパネル、明り取り窓の障子、天井、廊下の壁として用いても良い。
パネル体７は、複数の不透光パネル１７で構成したが、透光パネル２１よりも大きな１枚の不透光パネル１７としても良い。
透光パネル２１は、網入りガラスに限らず、網の入っていない通常のガラス板や透明樹脂パネルであっても良い。
第１実施の形態において、凹み２５は、溝であってもよく、溝で線図を描くものであっても良い。また、凹み２５の形状は、底面を円形にすることに限らず、四角、星形やハート型等任意の形状にしても良い。
第１実施の形態において、不透光パネル１７において、凹み２５を形成していない面は、フラット面にすることに限らず凹凸が形成されていても良い。第２実施の形態においては、不透光パネル１７の各パネル面について、フラット面にすることに限らず凹凸が形成されていても良い。
第１実施の形態において、凹み２５に配置する透光部材１９は凹み２５に嵌合することに限らず、透光部材１９に凹み２５の底面に透光部材１９を接着するものであっても良い。
【図面の簡単な説明】
【００２０】
【図１】本発明の実施の形態に係るパネル体であって、図３に示すＢ部を拡大して示す縦断面図である。
【図２】本発明の実施の形態に係るパネル体であって、図３に示すＢ部の横断面図である。
【図３】図４に示す外壁のＡ−Ａ断面図である。
【図４】本実施の形態に係るパネル体を備える外壁を室外側から見た正面図である。
【図５】第２実施の形態に係るパネル体の不透光パネルの一部を切断して示す縦断面図である。
【符号の説明】
【００２１】
７      パネル体
１７    不透光パネル
１７ａ  不透光パネルの縁
１９    透光部材
２１    透光パネル
２３    パネル保持枠
２５    凹み
２７    光が透過する厚み部分
【図１】
2010031519.tif 000003
【図２】
2010031519.tif 000004
【図３】
2010031519.tif 000005
【図４】
2010031519.tif 000006
【図５】
2010031519.tif 000007